(57)【要約】【課題】本発明は、ユーザ毎のセキュリティに関する意識レベルに合わせたセキュリティモードが設定できる携帯電話機を提供することにある。また、本発明は、ユーザが、個人データや、携帯電話の機能の種別にあわせて異なるセキュリティモードを設定できる携帯電話機を提供することにある。【解決手段】携帯電話機において、携帯電話機のセキュリティ機能を実行する複数のセキュリティ実行手段と、この複数のセキュリティ実行手段の中から１つのセキュリティ実行手段を選択する選択手段とを有することを特徴とする。【選択図】  図１
2004260240.tif 000002
【特許請求の範囲】
【請求項１】
携帯電話機であって、
前記携帯電話機のセキュリティ機能を実行する複数のセキュリティ実行手段と、
前記複数のセキュリティ実行手段の中から１つのセキュリティ実行手段を選択する選択手段と
を有することを特徴とする携帯電話機。
【請求項２】
前記選択手段は、
前記携帯電話機に搭載されている機能毎に、前記複数のセキュリティ実行手段の中から１つのセキュリティ実行手段を選択する選択手段であることを特徴とする請求項１に記載の携帯電話機。
【請求項３】
携帯電話機であって、
前記携帯電話機のセキュリティ機能を実行する複数のセキュリティ実行手段と、
前記複数のセキュリティ実行手段の中から複数のセキュリティ実行手段を選択する選択手段と
を有することを特徴とする携帯電話機。
【請求項４】
前記選択手段は、
前記携帯電話機に搭載されている機能毎に、前記複数のセキュリティ実行手段の中から複数のセキュリティ実行手段を選択する選択手段であることを特徴とする請求項３に記載の携帯電話機。
【請求項５】
携帯電話機の情報処理装置のプログラムであって、
前記プログラムは前記情報処理装置を、
前記携帯電話機のセキュリティ機能を実行する複数のセキュリティ実行手段と、
前記複数のセキュリティ実行手段の中から１つのセキュリティ実行手段を選択する選択手段と
して機能させることを特徴とするプログラム。
【請求項６】
前記プログラムは、前記選択手段を、
前記携帯電話機に搭載されている機能毎に、前記複数のセキュリティ実行手段の中から１つのセキュリティ実行手段を選択する選択手段として機能させることを特徴とする請求項５に記載のプログラム。
【請求項７】
携帯電話機の情報処理装置のプログラムであって、
前記プログラムは前記情報処理装置を、
前記携帯電話機のセキュリティ機能を実行する複数のセキュリティ実行手段と、
前記複数のセキュリティ実行手段の中から複数のセキュリティ実行手段を選択する選択手段と
して機能させることを特徴とするプログラム。
【請求項８】
前記プログラムは、前記選択手段を、
前記携帯電話機に搭載されている機能毎に、前記複数のセキュリティ実行手段の中から複数のセキュリティ実行手段を選択する選択手段として機能させることを特徴とする請求項７に記載のプログラム。
【発明の詳細な説明】
【０００１】
【発明が属する技術分野】
本発明はセキュリティ機能を有する携帯電話機に関し、特に、セキュリティのモードが選択できる携帯電話機に関する。
【０００２】
【従来技術】
昨今の携帯電話機の急速な進歩により、携帯電話機に搭載される機能が増えてきた。それに伴い、ユーザの携帯電話機の機能毎のセキュリティに対する意識が高まってきた。又、携帯電話機に保存できる個人データの種類も増加したため、ユーザの携帯電話機のセキュリティに対する意識が高まってきた。
【０００３】
ところで、現在、携帯電話機のセキュリティ方法として、暗証番号を入力する方法が主流である。この暗証番号を入力するセキュリティの方法の一つとして、携帯電話機の所有者が、予め暗証番号を登録した上でキーロック機能を設定し、キー操作を無効にすることによって所有者以外の人が携帯電話機を無断に使用できないようにする方法がある。又、携帯電話機の所有者が、予め暗証番号を登録した上でセキュリティ機能を設定し、個人データに係る機能を操作する場合に限り暗証番号を入力させてセキュリティ機能を解除する方法もある。
【０００４】
又、携帯電話機のセキュリティ方法として、上記した暗証番号を入力する方法以外に指紋照合の方法がある（例えば、特許文献１参照）。これは、携帯電話機の所有者が予め登録した指紋と、入力された指紋とを照合してキーロック機能を設定する方法である。
【０００５】
更に、携帯電話機のセキュリティ方法として、音声認識の方法がある（例えば、特許文献２参照）。これは、携帯電話機の所有者が予め登録した文字列と、入力された音声とを照合してキーロック機能を設定する方法である。
【０００６】
【特許文献１】
特開平６−２８４１８２号公報
【特許文献２】
特開２０００−１６５５１１号公報
【発明が解決しようとする課題】
しかしながら、現状の携帯電話機のセキュリティ機能は、使用できるセキュリティ方法が予め決められた１つの方法だけであった。一方、携帯電話機のセキュリティに関する意識レベルは、ユーザ毎に異なるものであった。そのため、ユーザによっては、予め決められているセキュリティ方法では満足のいかないものとなっている。
【０００７】
そこで、本発明は上記課題に鑑みて発明されたものであって、その目的はユーザ毎のセキュリティに関する意識レベルに合わせたセキュリティ方法が設定できる携帯電話機を提供することにある。
【０００８】
また、本発明の目的は、ユーザが、個人データや、携帯電話機の機能の種別にあわせて異なるセキュリティモードを設定できる携帯電話機を提供することにある。
【０００９】
【課題を解決するための手段】
上記本発明を達成する第一の発明は、携帯電話機であって、前記携帯電話機のセキュリティ機能を実行する複数のセキュリティ実行手段と、前記複数のセキュリティ実行手段の中から１つのセキュリティ実行手段を選択する選択手段とを有することを特徴とする。
【００１０】
上記本発明を達成する第二の発明は、第一の発明において、前記選択手段は、前記携帯電話機に搭載されている機能毎に、前記複数のセキュリティ実行手段の中から１つのセキュリティ実行手段を選択する選択手段であることを特徴とする。
【００１１】
上記本発明を達成する第三の発明は、携帯電話機であって、前記携帯電話機のセキュリティ機能を実行する複数のセキュリティ実行手段と、前記複数のセキュリティ実行手段の中から複数のセキュリティ実行手段を選択する選択手段とを有することを特徴とする。
【００１２】
上記本発明を達成する第四の発明は、第三の発明において、前記選択手段は、前記携帯電話機に搭載されている機能毎に、前記複数のセキュリティ実行手段の中から複数のセキュリティ実行手段を選択する選択手段であることを特徴とする。
【００１３】
上記本発明を達成する第五の発明は、携帯電話機の情報処理装置のプログラムであって、前記プログラムは前記情報処理装置を、前記携帯電話機のセキュリティ機能を実行する複数のセキュリティ実行手段と、前記複数のセキュリティ実行手段の中から１つのセキュリティ実行手段を選択する選択手段として機能させることを特徴とする。
【００１４】
上記本発明を達成する第六の発明は、第五の発明において、前記プログラムは、前記選択手段を、前記携帯電話機に搭載されている機能毎に、前記複数のセキュリティ実行手段の中から１つのセキュリティ実行手段を選択する選択手段として機能させることを特徴とする。
【００１５】
上記本発明を達成する第七の発明は、携帯電話機の情報処理装置のプログラムであって、前記プログラムは前記情報処理装置を、前記携帯電話機のセキュリティ機能を実行する複数のセキュリティ実行手段と、前記複数のセキュリティ実行手段の中から複数のセキュリティ実行手段を選択する選択手段として機能させることを特徴とする。
【００１６】
上記本発明を達成する第八の発明は、第七の発明において、前記プログラムは、前記選択手段を、前記携帯電話機に搭載されている機能毎に、前記複数のセキュリティ実行手段の中から複数のセキュリティ実行手段を選択する選択手段として機能させることを特徴とする。
【００１７】
【発明の実施の形態】
本発明の第一の実施の形態について説明する。
【００１８】
第一の実施の形態では、複数の機能を搭載する携帯電話機において、全機能のセキュリティ方法を複数のセキュリティ方法の中から１つ選択する場合について説明する。
【００１９】
図１は、本発明における携帯電話機を示す構成図である。
【００２０】
図１中、１はメモリである。このメモリ１には、ユーザが設定したセキュリティモードの設定情報が保存される。更に、メモリ１には、ユーザにより入力される暗証番号、文字コード、又は文字列が保存される。
【００２１】
ここで、セキュリティモードとは、セキュリティ機能を設定、又は解除ための認証方法であって、例えば、暗証番号、文字コード、音声、顔、指紋を用いた認証方法である。尚、ここでは、選択できるセキュリティモードとして、暗証番号によって認証するセキュリティモード１と文字コードによって認証するセキュリティモード２と音声認識によって認証するセキュリティモード３とを用いるが、如何なる方法を用いてもよい。
【００２２】
セキュリティモード１は、セキュリティ機能を解除する際に入力された暗証番号と、ユーザにより予めメモリ１に登録された暗証番号とを照合させて、一致した場合のみ、セキュリティ機能を解除するセキュリティモードである。
【００２３】
セキュリティモード２は、セキュリティ機能を解除する際に入力された文字コードと、ユーザにより予めメモリ１に登録された文字コードとを照合させて、一致した場合のみ、セキュリティ機能を解除するセキュリティモードである。
【００２４】
セキュリティモード３は、セキュリティ機能を解除する際に入力された音声をＡ／Ｄ変換し、この変換された音声と、ユーザにより予めメモリ１に登録された文字列とを照合させて、一致した場合のみ、セキュリティ機能を解除するセキュリティモードである。
【００２５】
２は入力部である。この入力部２は、セキュリティ機能を設定する際、セキュリティモードの選択と、暗証番号、文字コード、又は登録文字コードの入力とに使用される。更に、セキュリティ機能を解除する際、セキュリティモード１、又はセキュリティモード２が設定情報としてメモリ１に登録されている場合、暗証番号、又は文字コードの入力に使用される。尚、入力部２は、テンキーと、各種機能を起動、又は設定するためのボタンとを有する。このボタンは、セキュリティ機能を解除する際、セキュリティモード３が設定情報としてメモリ１に登録されている場合、音声入力時に用いる音声入力受付ボタンを含む。
【００２６】
３は制御部である。制御部３は、セキュリティ機能を設定する際、ユーザが選択することができるセキュリティモードをセキュリティ機能設定画面として、後述する表示部８に表示する指示を与える。又、制御部３は、セキュリティ機能を解除する際、現在設定されているセキュリティモードを表示部８に表示する指示を与えると共に、現在設定されているセキュリティモードを音声として流す指示を後述するスピーカー１０に与える。更に、セキュリティ機能を解除する際、セキュリティモード１、又はセキュリティモード２が設定情報としてメモリ１に登録されている場合、暗証番号、又は文字コードを入力する入力画面を表示部８に表示する指示を与える。
【００２７】
又、制御部３は、入力部２から入力された暗証番号、又は文字コードと、メモリ１に予め登録されている暗証番号、又は文字コードとを照合する際、照合結果をセキュリティ制御部４に通知すると共に、照合結果を通知音で流す指示をスピーカー１０に与える。更に、後述するタイマー９からの信号に基づいて、スピーカー１０に通知音を流す指示を与える。
【００２８】
４はセキュリティ制御部である。このセキュリティ制御部４は、制御部３で照合された結果に基づいてセキュリティ機能を解除する。
【００２９】
５は音声取込部である。この音声取込部５は、設定情報がセキュリティモード３の場合、ユーザが音声を入力する際に使用する。
【００３０】
６は音声変換部である。この音声変換部６は、セキュリティ機能を解除する際、セキュリティモード３が設定情報としてメモリ１に登録されている場合、音声取込部５から入力された音声をＡ／Ｄ変換し、変換した音声を音声認識部７に送る。尚、入力された音声をＡ／Ｄ変換する技術は多数あるが、周知なので詳細は省略する。そして、本発明においては如何なるものでも良い。
【００３１】
７は音声認識部である。この音声認識部７は、音声変換部６で変換された音声と、予めメモリ１に登録されている文字列とを照合する。
【００３２】
８は表示部である。表示部８は、制御部３からの指示に基づいて、各種画面を表示する。
【００３３】
９はタイマーである。このタイマー９は、セキュリティモード３が設定情報としてメモリ１に登録されている場合、入力された音声と予めメモリ１に登録されている文字列との照合時間が所定の時間を超えると、タイムアップであることを信号で制御部３に通知する。
【００３４】
１０はスピーカーである。このスピーカー１０は、制御部５からの指示に基づいて、音声、又は各種通知音声を流す。尚、音声、又は各種通知音は、ユーザの任意により、ＯＮ、又はＯＦＦの設定が可能である。
【００３５】
次に、上述した第一の実施の形態の動作を詳細説明する。
【００３６】
図２は、本発明における、セキュリティ機能の設定の動作を示すフローチャートである。
【００３７】
まず、ユーザによりセキュリティ機能の設定が起動されると、ユーザが選択することができるセキュリティモードがセキュリティ機能設定画面として表示部８に表示され（ステップＳ１）、セキュリティモードの選択待機状態になる（ステップＳ２）。
【００３８】
ユーザは、表示部８に表示されているセキュリティモードの中から１つセキュリティモードを選択し、入力部２を用いて入力する（ステップＳ３）。
【００３９】
入力部２から、ユーザにより選択されたセキュリティモードが入力されると、入力されたセキュリティモードは設定情報としてメモリ１に保存される（ステップＳ４）。
【００４０】
入力部２から、セキュリティモード１が入力された場合、セキュリティ機能解除時に入力する暗証番号を入力する画面が表示部８に表示され、暗証番号入力待機状態となる（ステップＳ５）。
【００４１】
入力部２から暗証番号が入力されると、入力された暗証番号を登録するか否かの確認画面が表示部８に表示される（ステップＳ６）。
【００４２】
ここで、“登録しない”が選択されるとステップＳ５に戻り、“登録する”が選択されると、入力された暗証番号がメモリ２に保存される（ステップＳ７）。
【００４３】
一方、ステップＳ２において、セキュリティモード２が入力された場合、表示部８にセキュリティ機能解除時に入力する文字コードを入力する画面が表示され、文字コード入力待機状態となる（ステップＳ８）。
【００４４】
入力部２から文字コードが入力されると、入力された文字コードを登録するか否かの確認画面が表示部８に表示される（ステップＳ９）。
【００４５】
ここで、“登録しない”が選択されるとステップＳ８に戻り、“登録する”が選択されると、入力された文字コードがメモリ１に保存される（ステップＳ１０）。
【００４６】
更に、ステップＳ２において、ユーザにより、セキュリティモード３が入力された場合、表示部８にセキュリティ機能解除時に使用する文字列を入力する画面が表示され、文字列入力待機状態となる（ステップＳ１１）。
【００４７】
入力部２よりセキュリティ機能解除時に使用する文字列が入力されると、入力された文字コードを登録するか否かの確認画面が表示部８に表示される（ステップＳ１２）。
【００４８】
ここで、“登録しない”が選択されるとステップＳ１１に戻り、“登録する”が選択されると、入力された文字列がメモリ１に保存される（ステップＳ１３）。
【００４９】
次に、本発明におけるセキュリティ機能の解除について説明する。
【００５０】
図３は、本発明におけるセキュリティ機能の解除を示すフローチャートである。
【００５１】
まず、ユーザによりセキュリティ機能の解除が起動されると、制御部３はメモリ１に保存されている現在のセキュリティモードを確認する（ステップＳ２０１）。
【００５２】
セキュリティモード１が設定されている場合、現在のセキュリティモードがセキュリティモード１である旨の音声がスピーカー１０から流れると共に、表示部８に現在のセキュリティモードと暗証番号入力画面とが表示され（ステップＳ２０２）、暗証番号入力待機状態となる（ステップＳ２０３）。
【００５３】
ユーザは、入力部２から暗証番号を入力する（ステップＳ２０４）。
【００５４】
入力された暗証番号は、制御部３でメモリ１に保存されている暗証番号と同一であるかの照合が行われる（ステップＳ２０５）。
【００５５】
照合の結果、入力された暗証番号とメモリ１に保存されている暗証番号とが一致した場合、セキュリティ制御部４はセキュリティを解除すると共に、解除示す通知音がスピーカー１０から流れる（ステップＳ２０６）。一方、照合の結果、入力された暗証番号とメモリ１に保存されている暗証番号とが一致しない場合、入力された暗証番号が間違っていることを示す通知音がスピーカー１０から流れ、ステップＳ２０２に戻る。
【００５６】
一方、セキュリティモード２が設定されている場合、現在のセキュリティモードがセキュリティモード２である旨の音声がスピーカー１０から流れると共に、表示部８に現在のセキュリティモードと文字コード入力画面が表示され（ステップＳ２０７）、文字コード入力待機状態となる（ステップＳ２０８）。
【００５７】
ユーザは、入力部２から文字コードを入力する（ステップＳ２０９）。
【００５８】
入力された文字コードは、制御部３で、メモリ１に保存されている文字コードと同一であるかの照合が行われる（ステップＳ２１０）。
【００５９】
照合の結果、入力された文字コードとメモリ１に保存されている文字コードとが一致した場合、セキュリティ制御部４はセキュリティを解除すると共に、スピーカー１０から解除示す通知音が流れる（ステップＳ２１１）。一方、照合の結果、入力された文字コードとメモリ１に保存されている文字コードとが一致しない場合、入力された文字コードが間違っていることを示す通知音がスピーカー１０から流れ、ステップＳ２０７に戻る。
【００６０】
又、一方、セキュリティモード３が設定されている場合、現在のセキュリティモードがセキュリティモード１である旨の音声がスピーカー１０から流れると共に、表示部８に現在のセキュリティモードと音声入力画面とが表示される（ステップＳ２１２）。
【００６１】
音声入力受付ボタンを押下すると、スピーカー１０から音声入力開始を示す通知音が流れて音声入力待機状態となる（ステップＳ２１３）と共に、タイマー９がスタートされる（ステップＳ２１４）。
【００６２】
ユーザにより音声取込部５から音声が入力される（ステップＳ２１５）と、入力された音声は音声変換部６でＡ／Ｄ変換される（ステップＳ２１６）。
【００６３】
変換された音声は、音声認識部７でメモリ１に保存されている文字列と同一であるかの照合が行われる（ステップＳ２１７）。
【００６４】
照合の結果、入力された音声とメモリ１に保存されている文字コードとが一致した場合、セキュリティ制御部４はセキュリティを解除すると共に、スピーカー１０から解除示す通知音が流れる（ステップＳ２１８）。一方、照合の結果、入力された音声とメモリ１に保存されている文字列とが一致しない場合、入力された音声が間違っていることを示す通知音がスピーカー１０から流れ、ステップＳ２１２に戻る。
【００６５】
尚、照合の結果が出る前に、タイマー９からタイムアップの信号が制御部３に送信された場合、タイムアップの地点で、音声入力終了を示す通知音がスピーカー１０から流れ、ステップＳ２１２に戻る
以上のような構成によれば、ユーザはセキュリティ方法を選択することができるので、ユーザ毎のセキュリティに対する意識に合ったセキュリティモードを設定することができる。
【００６６】
次に第二の実施の形態について説明する。
【００６７】
第一の実施の形態では、携帯電話機の全機能において１つのセキュリティ方法を選択する構成について説明した。しかしながら、セキュリティに関する意識レベルが高いユーザにとっては、個人データや、携帯電話機の機能別にあわせて異なるセキュリティモードを設定したい場合がある。そこで、第二の実施の形態は、第一の実施の形態の制御部４に各機能において１つのセキュリティ方法を設定することができるように構成したことを特徴とする。
【００６８】
尚、第二の実施の形態の構成については、第一の実施の形態と同一のものについては、詳細な説明を省略する。
【００６９】
図４は、第二の実施の形態の動作を説明するフロ−チャートである。尚、第一の実施の形態の動作と同様なものについては説明を省略する。
【００７０】
まず、ユーザにより、セキュリティ機能を設定する機能が選択される（ステップＳ３０１）。そして、ステップＳ１に続き、これ以降の動作については、上述した実施の形態の動作を行う。
【００７１】
このような構成によれば、機能毎にセキュリティモードの設定ができるので、携帯電話機の機能の種別に合わせて、異なるセキュリティモードが設定できる。
【００７２】
次に第三の実施の形態について説明する。
【００７３】
上述した実施の形態では、全機能、又は各機能において１つのセキュリティ方法を設定する場合について説明した。しかしながら、ユーザによっては、全機能、又は各機能において複数のセキュリティモードを設定し、２重、３重のセキュリティをかけたい場合がある。そこで、第三の実施の形態は、上述した実施の形態の制御部４に、全機能、又は各機能において複数のセキュリティ方法を設定するように構成したことを特徴とする。
【００７４】
尚、第三の実施の形態の構成については、第一の実施の形態と同様なものについては、詳細な説明を省略する。
【００７５】
図５は、第三の実施の形態の動作を説明するフロ−チャートである。尚、第三の実施の形態は、第一の実施の形態の動作にステップＳ４０１を加えているので、同様の動作については説明を省略する。また、ここでは２重のセキュリティをかける場合について説明する。
【００７６】
まず、ステップＳ１からステップＳ１３まで、第一の実施の形態と同様の動作をする。
【００７７】
暗証番号、パスワード、又は、文字列をメモリ１に保存すると、２重のセキュリティをかけるか否かの選択画面を表示し、選択待機状態となる（ステップＳ４０１）。
【００７８】
２重のセキュリティをかけるが選択されると、ステップＳ１に戻り、これ以降の動作については、上述した第一の実施の形態の動作を行う。
【００７９】
一方、２重のセキュリティをかけないが選択されると、そのまま終了する。
【００８０】
このような構成によれば、機能毎に複数のセキュリティモードが設定できるので、個人データの内容に応じて、２重、３重のセキュリティをかけることができる。
【００８１】
【発明の効果】
本発明によれば、セキュリティモードが選択できるので、ユーザのセキュリティ意識レベルに合わせたセキュリティモードが設定できる。
【００８２】
又、個人データや、携帯電話の機能の種別に合わせて、異なるセキュリティモードが設定できるので、ユーザの機能ごとにセキュリティレベルの異なるセキュリティモードを設定したいという要望にも満足させることができる。
【００８３】
【図面の簡単な説明】
【図１】図１は本発明の実施の形態の一例を示す構成図である。
【図２】図２は本発明における第一の実施の形態の動作フローチャートである。
【図３】図３は本発明における第一の実施の形態の動作フローチャートである。
【図４】図４は本発明における第二の実施の形態の動作フローチャートである。
【図５】図５は本発明における第三の実施の形態の動作フローチャートである。
【符号の説明】
１      メモリ
２      入力部
３      制御部
４      セキュリティ制御部
５      音声取込部
６      音声変換部
７      音声認識部
８      表示部
９      タイマー
１０    スピーカー
【図１】
2004260240.tif 000003
【図２】
2004260240.tif 000004
【図３】
2004260240.tif 000005
【図４】
2004260240.tif 000006
【図５】
2004260240.tif 000007